(57)【特許請求の範囲】
【請求項１】
ユーザ端末とネットワークを介して接続される管理サーバであって、
ユーザ情報記憶部に記憶されているユーザ情報と、前記ユーザ情報記憶部から抽出した前記ユーザ情報に含まれるお気に入り動画情報に基づいてお気に入り動画生成用画面を生成し、前記お気に入り動画生成用画面を前記ユーザ端末に提供し、前記ユーザ端末が入力を受け付けたお気に入り動画の始点、終点、タイトルのデータを含む前記お気に入り動画生成用データを前記ユーザ端末から受信し、動画ＩＤを割り振り、割り振った動画ＩＤと、受信した前記お気に入り動画生成用データとを対応付けてお気に入り動画情報記憶部に記憶し、前記お気に入り動画情報記憶部に記憶されている前記お気に入り動画生成用データに基づいて、お気に入り動画を生成するお気に入り動画生成部と、
スケジュール情報記憶部に記憶されているスケジュール情報に含まれる動画登録日（ａ０）と、テスト情報記憶部に記憶されているテスト情報に含まれる過去のテスト実施日（ａｎ−１）と、ｎ−１回目のテストのスコアとに基づいて異なる数式を用いてｎ回目の再生スケジュールを生成する再生スケジュール生成部と、
現在時刻が前記再生スケジュールに含まれる時刻と一致するか否かを判定し、一致する場合に、対応する前記お気に入り動画をお気に入り動画情報記憶部から抽出し、前記ユーザ端末にお気に入り動画を提供するお気に入り動画提供部とを有する、
管理サーバ。
【請求項２】
請求項１に記載の管理サーバにおいて、
前記テスト情報記憶部から抽出した前記テスト情報に含まれるテスト生成用データに基づいてテスト画面を生成するテスト画面生成部と、
現在時刻が前記再生スケジュールに含まれる時刻と一致するか否かを判定し、一致する場合に、対応する前記テスト画面をテスト情報記憶部から抽出し、前記ユーザ端末に前記テスト画面を提供するテスト画面提供部とを有する、
管理サーバ。
【請求項３】
請求項１に記載の管理サーバにおいて、
前記スケジュール情報記憶部から抽出した前記スケジュール情報に含まれる再生スケジュールに基づいてスケジュール画面を生成するスケジュール画面生成部と、
前記ユーザ端末に前記スケジュール画面を提供するスケジュール画面提供部とを有する、
管理サーバ。
【請求項４】
請求項１に記載の管理サーバにおいて、
スケジュール画面生成部は、前記スケジュール情報記憶部から抽出した前記スケジュール情報に含まれる再生スケジュールに基づいて当日スケジュール画面を生成し、
前記ユーザ端末に前記当日スケジュール画面を提供する、
管理サーバ。
【請求項５】
請求項１に記載の管理サーバにおいて、
前記お気に入り動画情報記憶部から抽出したお気に入り動画情報に含まれる文字データと音声データとに基づいて電子書籍を生成する電子書籍生成部と、
前記ユーザ端末に前記電子書籍を提供する電子書籍提供部とを有する、
管理サーバ。
【請求項６】
請求項１に記載の管理サーバにおいて、
前記お気に入り動画情報記憶部から抽出した前記お気に入り動画ごとに、あるユーザ端末に提供した前記お気に入り動画に含まれるタグと他のユーザ端末についての前記タグとが共通すると判定した場合に、共通する前記タグを有するすべてのユーザ端末を構成員としてグループを生成するグループ生成部を有し、
前記お気に入り動画の提供後に、前記グループ生成部により生成されたグループに基づいてシェア画面を生成するシェア画面生成部を有し、
前記ユーザ端末に前記シェア画面を提供するシェア画面提供部とを有する、
管理サーバ。
【請求項７】
請求項６に記載の管理サーバにおいて、
前記シェア画面提供部は、前記グループごとに講師役を選定して前記講師役を表示させるシェア画面を提供する、
管理サーバ。
【請求項８】
任意の動画からお気に入りの範囲をユーザに選択させてお気に入り動画を登録する手段と、お気に入り動画と対応するテストを抽出する手段と、抽出した前記テストを出力して前記テストを実施する手段とを有するシステムであって、
登録している前記お気に入り動画ごとに、あるユーザ端末に提供した前記お気に入り動画に含まれるタグと他のユーザ端末についての前記タグとが共通すると判定した場合に、共通する前記タグを有するすべてのユーザ端末を構成員としてグループを生成する手段を有し、
前記お気に入り動画の視聴が完了した後に、生成した前記グループに含まれるすべてのユーザのユーザ情報をユーザ情報記憶部から抽出し、抽出した前記ユーザ情報に基づいてシェア画面を生成し、生成された前記シェア画面を前記ユーザ端末に送信することで、動画の内容をシェアするシェア画面を提供する手段を有する、
管理サーバ。
【発明の詳細な説明】
【技術分野】
【０００１】
本発明は、動画提供システムに関する。
【背景技術】
【０００２】
従来、ユーザは、学習したい内容を含む動画を、学習のたびに全編再生して視聴を行っている。また、動画を視聴してから所定の日数が経過すると、視聴した動画の内容を忘れることが多い。そして、一度学習した内容について忘れた頃に、もう一度動画を全編再生して視聴することが行われていた。
【先行技術文献】
【特許文献】
【０００３】
【特許文献１】特開２０１１−３２２４号公報
【発明の概要】
【発明が解決しようとする課題】
【０００４】
例えば、特許文献１には、ビデオコンテンツの一部をユーザの思い出の動画シーンとして残すことが可能なコンテンツ再生装置、コンテンツ提供装置及びコンテンツ配信システムが開示されている。
【０００５】
しかし、特許文献１は、お気に入り動画を生成して所定の日数後にお気に入り動画の提供およびテストによって学習の定着を図ることについて、意図しているものではない。さらに、一般的に「聞いて見たこと」の定着率が２０％であるのに対して、「話し合うこと」の定着率は４０％と言われている。
【０００６】
そして、従来のシステムは動画を配信することで「聞いて見たこと」を提供できるものの、その内容について「話し合う場」を提供できないという問題があった。
【０００７】
本発明の目的は、知識の定着を促進可能な技術を提供することである。また、話し合う場（グループワークの場）を提供可能にし、より知識の定着を図ることである。
【課題を解決するための手段】
【０００８】
本願において開示される発明のうち、代表的なものの概要を簡単に説明すれば、次の通りである。
【０００９】
本発明の一実施の形態は、ユーザ端末とネットワークを介して接続される管理サーバであって、ユーザ情報記憶部に記憶されているユーザ情報と、前記ユーザ端末から受信したお気に入り動画生成用データとに基づいて、お気に入り動画を生成するお気に入り動画生成部を有する。また、スケジュール情報記憶部に記憶されているスケジュール情報と、テスト情報記憶部に記憶されているテスト情報とに基づいて、再生スケジュールを生成する再生スケジュール生成部を有する。また、現在時刻が前記再生スケジュールに含まれる時刻と一致するか否かを判定し、一致する場合に、対応する前記お気に入り動画をお気に入り動画記憶部から抽出し、前記ユーザ端末にお気に入り動画を提供するお気に入り動画提供部を有する。
【発明の効果】
【００１０】
本発明によれば、「フォローアップ（学習→実践→評価）に特化し、フォローアップとともに、教え合う場を提供し、学んだことの定着を図る」ことが可能な技術を提供できる。
【図面の簡単な説明】
【００１１】
【図１】本発明の一実施の形態における動画提供システムの構成例の概要を示す図である。
【図２】本発明の一実施の形態における管理サーバのユーザ情報記憶部に記憶されているユーザ情報と、お気に入り動画情報記憶部に記憶されているお気に入り動画情報の概要を示す図である。
【図３】本発明の一実施の形態における管理サーバのスケジュール情報記憶部に記憶されているスケジュール情報と、テスト情報記憶部に記憶されているテスト情報の概要を示す図である。
【図４】本発明の一実施の形態における全体処理の概要を示す図である。
【図５】本発明の一実施の形態におけるユーザ情報記憶処理およびユーザ情報取得処理の概要を示す図である。
【図６】本発明の一実施の形態におけるお気に入り動画生成用画面の概要を示す図である。
【図７】本発明の一実施の形態におけるお気に入り動画生成用画面およびお気に入り動画生成完了画面の概要を示す図である。
【図８】本発明の一実施の形態におけるお気に入り動画生成処理およびお気に入り動画記憶処理の概要を示す図である。
【図９】本発明の一実施の形態における再生スケジュール算出方法の概要を示す図である。
【図１０】本発明の一実施の形態における再生スケジュール生成処理および再生スケジュール記憶処理の概要を示す図である。
【図１１】本発明の一実施の形態におけるお気に入り動画提供処理の概要を示す図である。
【図１２】本発明の一実施の形態におけるテスト画面の概要を示す図である。
【図１３】本発明の一実施の形態におけるテスト画面生成処理およびテスト画面提供処理の概要を示す図である。
【図１４】本発明の一実施の形態におけるスケジュール画面および当日スケジュール画面の概要を示す図である。
【図１５】本発明の一実施の形態におけるスケジュール画面生成処理およびスケジュール画面提供処理の概要を示す図である。
【図１６】本発明の一実施の形態におけるスケジュール通知処理の概要を示す図である。
【図１７】本発明の一実施の形態における電子書籍生成処理および電子書籍提供処理の概要を示す図である。
【図１８】本発明の一実施の形態におけるグループ生成方法の概要を示す図である。
【図１９】本発明の一実施の形態におけるグループ生成処理の概要を示す図である。
【図２０】本発明の一実施の形態におけるシェア画面の概要を示す図である。
【図２１】本発明の一実施の形態におけるシェア画面生成処理およびシェア画面提供処理の概要を示す図である。
【図２２】本発明の一実施の形態における講師役選定処理の概要を示す図である。
【発明を実施するための形態】
【００１２】
以下、本発明を実施するための形態について図を参照しながら説明する。なお、これはあくまでも一例であって、本発明の技術的範囲はこれに限られるものではない。また、実施の形態を説明するための全図において、同一部には原則として同一の符号を付し、その繰り返しの説明は省略する。
＜システム構成＞
図１は、本発明の一実施の形態における動画提供システムの構成例の概要を示す図である。
【００１３】
図１に示されるように、動画提供システムは、ユーザ端末１００と、ユーザ端末１００とネットワークを介して接続される管理サーバ１２０とを有する。すなわち、管理サーバ１２０は、ユーザ端末１００とネットワークを介して接続される。
【００１４】
管理サーバ１２０は、ユーザ情報記憶部１３０と、お気に入り動画情報記憶部１３１と、スケジュール情報記憶部１３２と、テスト情報記憶部１３３と、お気に入り動画生成部１４０と、お気に入り動画提供部１４１と、再生スケジュール生成部１５０と、テスト画面生成部１６０と、テスト画面提供部１６１と、スケジュール画面生成部１７０と、スケジュール画面提供部１７１と、電子書籍生成部１８０と、電子書籍提供部１８１とを有する。
また、管理サーバ１２０はインターネット１１０と接続されている。
【００１５】
ユーザ情報記憶部１３０には、ユーザ情報２００（後述、図２（ａ））が記憶されている。お気に入り動画情報記憶部１３１には、お気に入り動画情報２１０（後述、図２（ｂ））が記憶されている。スケジュール情報記憶部１３２には、スケジュール情報２２０（後述、図３（ａ））が記憶されている。テスト情報記憶部１３３には、テスト情報２３０（後述、図３（ｂ））が記憶されている。
【００１６】
動画生成部１４０は、お気に入り動画生成用画面６１０（後述、図６、図７）を生成する。また、お気に入り動画生成部１４０は、お気に入り動画７００（後述、図７）を生成する。お気に入り動画生成処理については後述する。
【００１７】
お気に入り動画提供部１４１は、お気に入り動画７００を、ユーザ端末１００に提供する。お気に入り動画提供処理については後述する。
【００１８】
再生スケジュール生成部１５０は、再生スケジュールを生成する。再生スケジュール生成処理については後述する。
【００１９】
テスト画面生成部１６０は、テスト画面１２００（詳細は後述する）を生成する。テスト画面生成処理については後述する。
【００２０】
テスト画面提供部１６１は、テスト画面１２００をユーザ端末１００に提供する。テスト画面提供処理については後述する。
【００２１】
スケジュール画面生成部１７０は、スケジュール画面１４００または当日スケジュール画面１４１０を生成する。テスト画面および当日スケジュール画面生成処理については後述する。
【００２２】
スケジュール画面提供部１７１は、スケジュール画面１４００または当日スケジュール画面１４１０をユーザ端末１００に提供する。テスト画面および当日スケジュール画面提供処理については後述する。
【００２３】
電子書籍生成部１８０は、電子書籍を生成する。電子書籍生成処理については後述する。
【００２４】
電子書籍提供部１８１は、電子書籍をユーザ端末１００に提供する。電子書籍提供処理については後述する。
＜ユーザ情報記憶部＞
図２（ａ）は、本発明の一実施の形態における管理サーバ１２０のユーザ情報記憶部１３０に記憶されているユーザ情報２００の構成例の概要を示す図である。
【００２５】
図２（ａ）に示されるように、ユーザ情報２００は、ユーザＩＤと、氏名と、連絡先と、お気に入り動画情報２１０と、スケジュール情報２２０と、テスト情報２３０などのデータ項目により構成される。
【００２６】
ユーザＩＤは、管理サーバ１２０が、ユーザを識別するための符号を示す。氏名は、ユーザの名称を示す。連絡先は、ユーザのメールアドレスや電話番号等を示す。
【００２７】
お気に入り動画情報２１０は、ユーザが所定期日後に自動再生されることを所望するお気に入り動画７００についての情報を示す（詳細は後述する）。
【００２８】
スケジュール情報２２０は、お気に入り動画７００が自動再生される時刻および日にち（再生スケジュール）と、お気に入り動画７００が生成された日にち（動画登録日）等の情報を示す。
【００２９】
テスト情報２３０は、テスト画面１２００を提供する日にちや、テスト画面ＩＤや、過去のテスト形式や、テストのスコアおよび評価等の情報を示す。
【００３０】
図２（ｂ）は、本発明の一実施の形態における管理サーバ１２０のユーザ情報記憶部１３０に記憶されているユーザ情報２００に含まれるお気に入り動画情報２１０の構成例の概要を示す図である。
お気に入り動画情報２１０は、動画生成用データ２１１、テスト生成用データ２１２等の情報を示す。
【００３１】
動画生成用データ２１１は、ソース動画、ソース動画の総再生時間、お気に入り動画７００のタイトル、お気に入り動画７００の再生時間、お気に入り動画７００の始点および終点などの情報を示す。
【００３２】
「ソース動画」とは、お気に入り動画７００としてユーザが選択する範囲を含む全編の動画を示す。すなわち、ユーザは、ソース動画から所望の部分を選択することでお気に入り動画７００として登録できる。
【００３３】
テスト生成用データ２１２は、カテゴリ、文字データ、音声データ等の情報を示す。
【００３４】
「カテゴリ」は、お気に入り動画７００の属する動画の種類を示す。例えば、カテゴリは、英語、経営学、テニス等がある。
【００３５】
「文字データ」は、お気に入り動画７００に含まれるタグや、文字の情報を示す。例えば、文字データに含まれるタグは、お気に入り動画７００の属性や、特徴や、学習テーマなどを識別するためのものであり、利益率アップや、資金繰りや、売上アップなどの経営課題が該当する。また、タグは、レストラン、注文、ワイン等の商品やサービスのカテゴリが該当する。また、タグは、記憶力アップや、数字力育成や、英語、中国語などの学習のテーマが該当する。なお、文字の情報は、動画に含まれる音声を自動で文字起こしを行ってテキストデータとして取得できる。また、タグはユーザによって予め動画毎に設定できる。
【００３６】
「音声データ」は、お気に入り動画７００に含まれる音声の情報を示す。例えば、MP３等のデータとする。
【００３７】
図３（ａ）は、本発明の一実施の形態における管理サーバ１２０のユーザ情報記憶部１３０に記憶されているユーザ情報２００に含まれるスケジュール情報２２０の構成例の概要を示す図である。
【００３８】
図３（ａ）に示されるように、スケジュール情報２２０は、動画ＩＤと、再生時刻と、動画登録日と、再生スケジュール等のデータ項目により構成される。
【００３９】
「動画ＩＤ」は、管理サーバ１２０がお気に入り動画７００を識別するための符号を示す。
【００４０】
「再生時刻」は、お気に入り動画７００が自動再生される時刻を示す。また、再生時刻はユーザによって予め動画毎に設定できる。
【００４１】
「動画登録日」は、お気に入り動画７００が生成された日にちを示す。
【００４２】
「再生スケジュール」は、お気に入り動画７００が自動再生される日にちを示す。なお、再生スケジュールの算出方法については後述する。
【００４３】
図３（ｂ）は、本発明の一実施の形態における管理サーバ１２０のユーザ情報記憶部１３０に記憶されているユーザ情報２００に含まれるテスト情報２３０の構成例の概要を示す図である。
【００４４】
図３（ｂ）に示されるように、テスト情報２３０は、動画ＩＤと、回数と、実施日と、テスト画面ＩＤと、形式と、スコアと、評価等のデータ項目により構成される。
【００４５】
「回数」は、テストを実施した回数を示す。
【００４６】
「テスト画面ＩＤ」は、管理サーバ１２０が、テスト画面１２００を識別するための符号を示す。
【００４７】
「形式」は、テスト画面１２００についてのテストの形式（例えば、正誤形式、並べ替え形式、穴埋め形式等）を示す。
【００４８】
「スコア」は、ユーザが実施したテストの点数を示す。
【００４９】
「評価」は、ユーザが実施したテストのスコアに対応して予め設定された６段階（Ａ乃至ＥとＳ）の評価を示す。なお、評価とスコアの関係については後述する。
【００５０】
＜全体処理＞
図４は、本発明の一実施の形態における全体処理の概要を示す図である。
【００５１】
まず、Ｓ４０１にて、管理サーバ１２０はユーザ情報記憶処理およびユーザ情報取得処理（図５で後述する）を行う。
【００５２】
次に、Ｓ４０２にて、管理サーバ１２０はお気に入り動画生成処理およびお気に入り動画記憶処理（図６〜８で後述する）を行う。
【００５３】
次に、Ｓ４０３にて、管理サーバ１２０は再生スケジュール生成処理および再生スケジュール記憶処理（図９、１０で後述する）を行う。
【００５４】
次に、Ｓ４０４にて、管理サーバ１２０はお気に入り動画提供処理（図１１で後述する）を行う。
【００５５】
次に、Ｓ４０５にて、管理サーバ１２０はテスト画面生成処理およびテスト画面提供処理（図１２、１３で後述する）を行う。
【００５６】
次に、Ｓ４０６にて、管理サーバ１２０はスケジュール画面生成処理およびスケジュール画面提供処理（図１４、１５で後述する）を行う。
【００５７】
次に、Ｓ４０７にて、管理サーバ１２０はスケジュール通知処理（図１６で後述する）を行う。
【００５８】
次に、Ｓ４０８にて、管理サーバ１２０は電子書籍生成処理および電子書籍提供処理（図１６、１７で後述する）を行う。
＜ユーザ情報記憶処理＞
図５（ａ）は、本発明の一実施の形態におけるユーザ情報記憶処理の概要を示す図である。以下、管理サーバ１２０が、ユーザ情報２００を記憶する方法について説明する。
【００５９】
まず、Ｓ５０１にて、管理サーバ１２０は、ユーザ情報入力画面をユーザ端末１００に提供する。次に、Ｓ５０２にて、ユーザ端末１００は、ユーザ情報入力画面をディスプレイに表示させる。
【００６０】
その後、ユーザが本発明に係るシステムを初めて利用する場合、Ｓ５０３にて、ユーザ端末１００はユーザ情報２００の入力をユーザから受け付ける。なお、ユーザ情報２００は、ユーザＩＤと、氏名と、連絡先等のデータ項目により構成される。
次に、Ｓ５０４にて、ユーザ端末１００は、Ｓ５０３で入力を受け付けたユーザ情報２００を管理サーバ１２０に送信する。
【００６１】
次に、Ｓ５０５にて、管理サーバ１２０は、Ｓ５０４で送信されたユーザ情報２００を受信することにより、ユーザ情報２００を取得する。
次に、Ｓ５０６にて、管理サーバ１２０は、受信したユーザ情報２００にユーザＩＤを付して、Ｓ５０３にて入力を受け付けたユーザ情報２００をユーザ情報記憶部１３０に記憶する。
＜ユーザ情報取得処理＞
図５（ｂ）は、本発明の一実施の形態におけるユーザ情報取得処理の概要を示す図である。以下、管理サーバ１２０が、ユーザ情報２００を取得する方法について説明する。
【００６２】
ユーザが本発明に係るシステムを２回目以降利用する場合、Ｓ５０７にて、ユーザ端末１００はユーザＩＤの入力をユーザから受け付ける。なお、ユーザＩＤは、ユーザ情報２００に含まれる。
次に、Ｓ５０８にて、ユーザ端末１００は、Ｓ５０７で入力を受け付けたユーザＩＤを管理サーバ１２０に送信する。
【００６３】
その後、Ｓ５０９にて、管理サーバ１２０は、Ｓ５０８で送信されたユーザＩＤのキーに対応するユーザ情報２００をユーザ情報記憶部１３０から取得する。
＜お気に入り動画生成用画面＞
図６は、本発明の一実施の形態におけるお気に入り動画生成用画面６１０の概要を示す図である。
【００６４】
図６（ａ）に示されるように、お気に入り動画生成用画面６１０は、ソース動画を示す表示領域６２０と、ソース動画のタイトルを示すタイトル表示領域６３０と、シークバー６４０と、スライダー６４１とを含む。お気に入り動画生成用画面６１０は、ユーザ端末１００のディスプレイ６００上に表示される。
【００６５】
管理サーバ１２０のお気に入り動画生成部１４０は、ユーザ端末１００から入力を受け付けることでお気に入り動画７００の始点を決定させる。なお、始点が決定されると、お気に入り動画生成部１４０は、お気に入り動画生成用画面６１０における始点アイコン６５０をユーザ端末１００に表示させる。これにより、管理サーバ１２０のお気に入り動画生成部１４０は、ユーザがソース動画内の所望する位置からお気に入り動画７００を開始させることができる。また、お気に入り動画７００の再生開始位置を決定できる。
【００６６】
また、図６（ｂ）に示されるように、管理サーバ１２０のお気に入り動画生成部１４０は、ユーザ端末１００から入力を受け付けることでお気に入り動画７００の終点を決定させる。なお、終点が決定されると、お気に入り動画生成部１４０は、お気に入り動画生成用画面６１０における終点アイコン７５０をユーザ端末１００に表示させる。これにより、管理サーバ１２０のお気に入り動画生成部１４０は、ユーザがソース動画内の所望する位置でお気に入り動画７００を終了させることができる。また、お気に入り動画７００の再生終了位置を決定できる。そして、お気に入り動画生成部１４０は、指定された開始位置から終了位置までの動画をお気に入り動画情報記憶部１３１に記憶する。
【００６７】
図７は、本発明の一実施の形態におけるお気に入り動画生成用画面６１０およびお気に入り動画生成完了画面７１０の概要を示す図である。
【００６８】
図７（ａ）に示されるように、管理サーバ１２０のお気に入り動画生成部１４０により生成されるお気に入り動画生成用画面６１０は、ソース動画を示す表示領域６２０と、ソース動画のタイトルを示すタイトル表示領域６３０と、タイトル入力領域７２０とを含む。
【００６９】
また、図７（ａ）に示されるように、お気に入り動画生成用画面６１０を介してユーザ端末１００は、タイトルの入力を受け付ける。管理サーバ１２０は、ユーザ端末１００から入力を受け付けることでお気に入り動画７００のタイトルを決定させる。これにより、管理サーバ１２０は、ユーザが所望する名称でお気に入り動画７００のタイトルを登録させることができる。
＜お気に入り動画生成完了画面＞
図７（ｂ）に示されるように、お気に入り動画生成完了画面７１０は、お気に入り動画７００を示す表示領域と、お気に入り動画７００のタイトルを示すタイトル表示領域７３０と、お気に入り動画７００が登録されたことを示すお気に入りリスト表示領域７４０とを含む。
【００７０】
管理サーバ１２０は、お気に入り動画７００を生成した後でお気に入り動画生成完了画面７１０を生成させる。その後、管理サーバ１２０は、ユーザ端末１００に、お気に入り動画生成完了画面７１０を提供する。これにより、管理サーバ１２０は、ユーザ端末１００にお気に入り動画７００の生成を完了したことを知らせることができる。すなわち、ユーザは、お気に入り動画７００の登録を確認できる。
＜お気に入り動画生成処理＞
図８は、本発明の一実施の形態におけるお気に入り動画生成処理およびお気に入り動画記憶処理の概要を示す図である。以下、管理サーバ１２０が、お気に入り動画７００を生成する方法について説明する。
【００７１】
まず、Ｓ８０１にて、管理サーバ１２０のお気に入り動画生成部１４０は、ユーザ情報記憶部１３０からユーザ情報２００を抽出する。その後、管理サーバ１２０のお気に入り動画生成部１４０は、抽出したユーザ情報２００に含まれるお気に入り動画情報２１０（例えば、ソース動画、総再生時間等）に基づいてお気に入り動画生成用画面６１０を生成する。
【００７２】
次に、Ｓ８０２にて、管理サーバ１２０のお気に入り動画生成部１４０は、Ｓ８０１で生成されたお気に入り動画生成用画面６１０をユーザ端末１００に提供（送信）する。
【００７３】
その後、Ｓ８０３にて、ユーザ端末１００は、Ｓ８０２で提供されたお気に入り動画生成用画面６１０をディスプレイに表示させる。
【００７４】
その後、Ｓ８０４にて、ユーザ端末１００は、Ｓ８０３で表示させたお気に入り動画生成用画面６１０に含まれるソース動画６２０のシークバー６４０から、スライダー６４１をタップまたはクリックさせることにより、お気に入り動画７００の始点の入力を受け付ける。
【００７５】
その後、Ｓ８０５にて、ユーザ端末１００は、Ｓ８０３で表示させたお気に入り動画生成用画面６１０に含まれるソース動画６２０のシークバー６４０から、スライダー６４１をタップまたはクリックさせることにより、お気に入り動画７００の終点の入力を受け付ける。
【００７６】
その後、Ｓ８０６にて、ユーザ端末１００は、Ｓ８０３で表示させたお気に入り動画生成用画面６１０に含まれるタイトル入力領域７２０に文字入力させることにより、お気に入り動画７００のタイトルの入力を受け付ける。
【００７７】
次に、Ｓ８０７にて、ユーザ端末１００は、Ｓ８０７で入力を受け付けたお気に入り動画生成用データ２１１（始点、終点、タイトルを含むデータ）を管理サーバ１２０に送信する。
【００７８】
次に、Ｓ８０８にて、管理サーバ１２０は、Ｓ８０７でユーザ端末１００から送信されたお気に入り動画生成用データ２１１を受信する。そして、後述する、お気に入り動画記憶処理にて、管理サーバ１２０のお気に入り動画生成部１４０は、動画ＩＤを割り振り、割り振った動画ＩＤと受信したお気に入り動画生成用データ２１１（始点、終点、タイトルを含むデータ）とを対応付けてお気に入り動画情報記憶部１３１に記憶する。そして、お気に入り動画提供部１４１は、お気に入り動画情報記憶部１３１に記憶されているお気に入り動画生成用データ２１１に基づいてお気に入り動画７００を生成する。
【００７９】
このように、管理サーバ１２０がお気に入り動画７００を生成してユーザ端末１００に提供することにより、ユーザは、学習したい内容を含む動画を学習のたびに全編再生して視聴を行うことなく、所望する「お気に入り」の範囲だけを視聴できる。
＜お気に入り動画記憶処理＞
次に、Ｓ８０９にて、管理サーバ１２０のお気に入り動画生成部１４０は、Ｓ８０８で生成されたお気に入り動画７００をお気に入り動画情報記憶部１３１に記憶する。
【００８０】
次に、Ｓ８１０にて、管理サーバ１２０のお気に入り動画生成部１４０は、Ｓ８０９で生成されたお気に入り動画７００に基づいて、お気に入り動画生成完了画面７１０を生成する。
【００８１】
次に、Ｓ８１１にて、管理サーバ１２０のお気に入り動画生成部１４０は、Ｓ８１０で生成されたお気に入り動画生成用完了画面７１０をユーザ端末１００に提供（送信）する。
【００８２】
その後、Ｓ８１２にて、ユーザ端末１００は、Ｓ８１１で送信されたお気に入り動画生成完了画面７１０をディスプレイに表示させる。
【００８３】
これにより、管理サーバ１２０は、ユーザ端末１００にお気に入り動画７００の生成を完了したことを知らせることができる。なお、お気に入り動画７００が登録された時、お気に入り動画生成完了画面７１０に含まれるお気に入りリスト表示領域７４０は、登録されたお気に入り動画７００をリスト形式で表示させる。このようにして、ユーザは、お気に入り動画７００の登録を容易に確認できる。
＜再生スケジュール算出方法＞
図９は、本発明の一実施の形態における再生スケジュール算出方法の概要を示す図である。以下、再生スケジュール算出方法について説明する。
【００８４】
図９（ａ）に示されるように、動画登録日を「ａ０」と定義する。また、初回のテスト実施日を「ａ１」と定義する。また、ｎ回目のテスト実施日を「ａｎ」と定義する。なお、単位は日とし、ｎは２以上の自然数とする。
【００８５】
また、ｎ−１回目のテストのスコアが１００点の場合、評価を「Ｓ」と定義する。
同スコアが８０点〜９９点の場合、評価を「Ａ」と定義する。
同スコアが６０点〜７９点の場合、評価を「B」と定義する。
同スコアが４０点〜５９点の場合、評価を「C」と定義する。
同スコアが２０点〜３９点の場合、評価を「D」と定義する。
同スコアが１９点以下の場合、評価を「E」と定義する。
【００８６】
再生スケジュールは、ｎ−１回目のテストの評価に応じて異なる数式を用いて算出される。なお、評価が「S」の場合、ｎ回目のテストは実施を行わない。
【００８７】
また、評価が「A」の場合、ａｎ＝ａｎ−１＋ｎ２（数式αとする）と定義する。
また、評価が「B」の場合、ａｎ＝ａｎ−１＋２ｎ（数式βとする）と定義する。
また、評価が「C」の場合、ａｎ＝ａｎ−１＋ｎ（数式γとする）と定義する。
また、評価が「D」の場合、ａｎ＝ａｎ−１＋ｎ−１（数式δとする）と定義する。
また、評価が「E」の場合、ａｎ＝ａｎ−１＋１（数式εとする）と定義する。
【００８８】
なお、再生スケジュールは、ｎ−１回目のテストの評価に関わらず、ａ１＝ａ０＋２と定義する。すなわち、初回のテスト実施日は、動画登録日の常に２日後に実施される。
【００８９】
また、上記数式α乃至εについては、一例に過ぎず、似たような効果を得るために適宜他の係数および関数を用いて代用しうることは言うまでもない。
【００９０】
図９（ｂ）は、あるユーザの動画ＩＤ：Ｍ０００１について再生スケジュール算出の例を示す。
【００９１】
図９（ｂ）に示されるように、動画登録日が「９月２日」である場合、既述した数式によりａ１＝ａ０＋２で算出され、初回テスト実施日は「９月４日」である。
【００９２】
次に、初回テストの結果が、評価Dであった場合、既述した数式δにより、ａ２＝ａ１＋２−１で算出され、２回目のテスト実施日は「９月５日」である。
【００９３】
次に、２回目のテストの結果が、評価Bであった場合、既述した数式βにより、ａ３＝ａ２＋２×３で算出され、３回目のテスト実施日は「９月１１日」である。
【００９４】
次に、３回目のテストの結果が、評価Aであった場合、既述した数式αにより、ａ４＝ａ３＋４２で算出され、４回目のテスト実施日は「９月２７日」である。
【００９５】
次に、Ｓ８０８にて、管理サーバ１２０は、Ｓ８０７でユーザ端末１００から送信されたお気に入り動画生成用データ２１１を受信する。そして、後述する、お気に入り動画記憶処理にて、管理サーバ１２０のお気に入り動画生成部１４０は、動画ＩＤを割り振り、割り振った動画ＩＤと受信したお気に入り動画生成用データ２１１（始点、終点、タイトルを含むデータ）とを対応付けてお気に入り動画情報記憶部１３１に記憶する。そして、お気に入り動画生成部１４０は、お気に入り動画情報記憶部１３１に記憶されているお気に入り動画生成用データ２１１に基づいてお気に入り動画７００を生成する。
【００９６】
このようにして、管理サーバ１２０は、お気に入り動画を「エビングハウスの忘却曲線」に基づくタイミング（リマインドするタイミングが、再生回数を重ねるほど長くなるタイミング）や、ユーザが行ったテストの結果に応じて、ユーザ端末に提供できるため、効率的に学習の定着を図ることができる。
＜再生スケジュール生成処理＞
図１０は、本発明の一実施の形態における再生スケジュール生成処理および再生スケジュール記憶処理の概要を示す図である。
【００９７】
図１０（ａ）で示されるように、まず、Ｓ１００１にて、管理サーバ１２０に含まれる再生スケジュール生成部１５０は、再生したいお気に入り動画７００の動画ＩＤに対応するユーザ情報２００をユーザ情報記憶部１３０から抽出する。
【００９８】
次に、Ｓ１００２にて、再生スケジュール生成部１５０は、Ｓ１００１で抽出したユーザ情報２００に含まれるスケジュール情報２２０をスケジュール情報記憶部１３２から抽出する。
【００９９】
次に、Ｓ１００３にて、再生スケジュール生成部１５０は、Ｓ１００１で抽出したユーザ情報２００に含まれるテスト情報２３０をテスト情報記憶部１３３から抽出する。
【０１００】
次に、Ｓ１００４にて、再生スケジュール生成部１５０は、Ｓ１００２で抽出したスケジュール情報２２０と、Ｓ１００３で抽出したテスト情報２３０とに基づいて、再生スケジュールを生成する。具体的には、再生スケジュール生成部１５０は、抽出したスケジュール情報２２０に含まれる動画登録日（ａ０）と、抽出したテスト情報２３０に含まれる過去のテスト実施日（ａｎ−１）と、ｎ−１回目のテストのスコアとを呼び出して、既述の数式α乃至εのいずれかに代入することにより、ｎ回目の再生スケジュールを生成する。
【０１０１】
このようにして、再生スケジュールがｎ−１回目のテストの評価に応じて異なる数式を用いて算出されるようにして生成することで、ユーザの学習理解の程度に対応し再生スケジュールを編成できる。
＜再生スケジュール記憶処理＞
図１０（ｂ）で示されるように、まず、Ｓ１００５にて、管理サーバ１２０に含まれる再生スケジュール生成部１５０は、Ｓ１００２で抽出したスケジュール情報２２０を、Ｓ１００４で生成した再生スケジュールで更新する。
【０１０２】
次に、Ｓ１００６にて、スケジュール情報記憶部１３２は、Ｓ１００５で更新したスケジュール情報２２０を記憶する。
【０１０３】
次に、Ｓ１００７にて、再生スケジュール生成部１５０は、Ｓ１００１で抽出したユーザ情報２００を、Ｓ１００４で生成した再生スケジュールで更新してユーザ情報記憶部１３０に記憶する。
【０１０４】
このように、管理サーバ１２０が再生スケジュールを記憶させ、お気に入り動画７００およびテスト画面１２００（詳細は後述する）を再生スケジュールに従ってユーザ端末１００に提供することにより、管理サーバ１２０は、お気に入り動画を「エビングハウスの忘却曲線」に基づくタイミングや、ユーザが行ったテストの結果に応じて、ユーザ端末に提供できるため、効率的に学習の定着を図ることが可能となる。
＜お気に入り動画提供処理＞
図１１は、本発明の一実施の形態におけるお気に入り動画提供処理の概要を示す図である。
【０１０５】
まず、Ｓ１１０１にて、管理サーバ１２０は、お気に入り動画７００を提供したいユーザＩＤに対応するユーザ情報２００をユーザ情報記憶部１３０から抽出する。
【０１０６】
次に、Ｓ１１０２にて、管理サーバ１２０は、スケジュール情報記憶部１３２から対応するユーザＩＤに紐付いたお気に入り動画７００の再生スケジュールを抽出する。
【０１０７】
次に、Ｓ１１０３にて、管理サーバ１２０は、現在時刻が再生スケジュールに含まれる時刻であるか否かを判定する。現在時刻が再生スケジュールに含まれる時刻である場合、管理サーバ１２０は次の工程へ処理を進行させる。現在時刻が再生スケジュールに含まれる時刻でない場合、管理サーバ１２０は本工程を終了する。
【０１０８】
次に、Ｓ１１０４にて、管理サーバ１２０は、現在時刻と一致している再生スケジュールに対応するお気に入り動画７００の動画ＩＤに紐付いた動画をお気に入り動画情報記憶部１３１から抽出する。
【０１０９】
次に、Ｓ１１０５にて、管理サーバ１２０は、Ｓ１１０４で抽出したお気に入り動画７００をユーザ端末１００に送信する。
【０１１０】
次に、Ｓ１１０６にて、ユーザ端末１００は、Ｓ１１０５で管理サーバ１２０から送信されたお気に入り動画７００を受信する。その後、受信したお気に入り動画７００をディスプレイ上で再生させる。
【０１１１】
なお、ユーザ端末１００は、お気に入り動画７００を再生する代わりに、動画に対応した音声データから音声のみを自動再生させても良いものとする。また、ユーザ端末１００は、お気に入り動画７００を再生する際に、文字データをテロップとして付随表示させても良いものとする。
【０１１２】
このように、管理サーバ１２０がお気に入り動画７００を再生スケジュールに従ってユーザ端末１００に提供することにより、管理サーバ１２０は、お気に入り動画を「エビングハウスの忘却曲線」に基づくタイミングや、ユーザが行ったテストの結果に応じて、ユーザ端末に提供できるため、効率的に学習の定着を図ることが可能となる。
＜テスト画面＞
図１２は、本発明の一実施の形態におけるテスト画面の概要を示す図である。
【０１１３】
図１２（ａ）に示されるように、テスト画面１２００は、テスト問題表示領域１２１０を含む。テスト画面１２００は、ユーザ端末１００に表示される。
【０１１４】
テスト問題表示領域１２１０は、テスト画面生成部１６０によって生成されるテストの問題を表示させる。テスト問題はいくつかの異なる形式で表示させることができる。テストの形式がどのように選択されるかは、ユーザの過去のテストの回数や、評価や、対応するお気に入り動画７００の属するカテゴリ等のデータに基づいて決定される。また、お気に入り動画７００のタグの内容に基づいて決定されるようにしても良い。
【０１１５】
このようにして、ユーザは、ユーザ端末１００に表示されたテスト画面１２００に含まれるテスト問題表示領域１２１０の中の問題を見ながら、いつでも容易にテストを行うことができる。
【０１１６】
図１２（ｂ）に示されるように、テスト画面１２００は、テスト解答表示領域１２２０と、スコア表示領域１２３０とを含む。テスト画面１２００は、ユーザ端末１００に表示される。
【０１１７】
テスト解答表示領域１２２０は、テストの解答を表示させる。スコア表示領域１２３０は、ユーザが行ったテストのスコアを表示させる。
【０１１８】
このようにして、ユーザは、ユーザ端末１００に表示されたテスト画面１２００に含まれるテスト解答表示領域１２２０の中の解答をいつでも容易に確認できる。また、ユーザは、ユーザ端末１００に表示されたテスト画面１２００に含まれるスコア表示領域１２３０の中のスコアをいつでも容易に確認できる。
【０１１９】
図１２（ｃ）に示されるように、テスト画面１２００は、テスト生成用データ２１２、すなわち、テストの対象となるお気に入り動画７００が属するカテゴリ、お気に入り動画７００に含まれる文字データおよび音声データ、お気に入り動画７００の過去テストのデータ等に基づいて、テスト画面生成部１６０により生成される。
【０１２０】
また、再生される動画の再生範囲ごとにタグが割り当てられており、タグと対応するテストを抽出することでテスト問題を出力できるようにしても良い。
＜テスト画面生成処理＞
図１３は、本発明の一実施の形態におけるテスト画面生成処理およびテスト画面提供処理の概要を示す図である。
【０１２１】
図１３（ａ）で示されるように、まず、Ｓ１３０１にて、管理サーバ１２０は、テスト画面１２００を提供したいユーザＩＤに対応するユーザ情報２００をユーザ情報記憶部１３０から抽出する。
【０１２２】
次に、Ｓ１３０２にて、管理サーバ１２０は、Ｓ１３０１で抽出したユーザ情報２００に含まれるテスト情報２３０をテスト情報記憶部１３３から抽出する。具体的には、管理サーバ１２０のテスト画面生成部１６０は、再生される動画の再生範囲ごとに割り当てられているタグと対応するテストを抽出する。
【０１２３】
次に、Ｓ１３０３にて、テスト画面生成部１６０は、Ｓ１３０２で抽出したテスト情報２３０に含まれるテスト生成用データ２１２に基づいて、テスト画面１２００を生成する。
【０１２４】
なお、再生される動画の文字データ（音声を文字化したものや、テロップのワードデータ）に基づき、当該文字データと対応するテストを検索することで抽出し、テスト問題を出力するようにしてもよい。
＜テスト画面提供処理＞
図１３（ｂ）で示されるように、まず、Ｓ１３０４にて、管理サーバ１２０は、スケジュール情報記憶部１３２から対応するユーザＩＤに紐付いたお気に入り動画７００の再生スケジュールを抽出する。
【０１２５】
次に、Ｓ１３０５にて、管理サーバ１２０は、現在時刻が再生スケジュールに含まれる時刻であるか否かを判定する。現在時刻が再生スケジュールに含まれる時刻である場合、管理サーバ１２０は次の工程へ処理を進行させる。現在時刻が再生スケジュールに含まれる時刻でない場合、管理サーバ１２０は本工程を終了する。
【０１２６】
次に、Ｓ１３０６にて、管理サーバ１２０は、現在時刻と一致している再生スケジュールに対応するお気に入り動画７００の動画ＩＤに紐付いたテスト画面１２００をテスト情報記憶部１３３から抽出する。
【０１２７】
次に、Ｓ１３０７にて、管理サーバ１２０は、Ｓ１３０６で抽出したテスト画面１２００をユーザ端末１００に送信する。
【０１２８】
次に、Ｓ１３０８にて、ユーザ端末１００は、Ｓ１３０７で管理サーバ１２０から送信されたテスト画面１２００を受信する。その後、受信したテスト画面１２００をディスプレイ上で表示させる。
【０１２９】
このように、管理サーバ１２０がテスト画面１２００を再生スケジュールに従ってユーザ端末１００に提供することにより、管理サーバ１２０は、テスト画面１２００を「エビングハウスの忘却曲線」に基づくタイミングや、ユーザが行ったテストの結果に応じて、ユーザ端末に提供できるため、効率的に学習の定着を図ることが可能となる。
＜スケジュール画面＞
図１４は、本発明の一実施の形態におけるスケジュール画面および当日スケジュール画面の概要を示す図である。
【０１３０】
図１４（ａ）に示されるように、スケジュール画面１４００は、月別カレンダー表示領域１４１０と、再生予定動画表示領域１４２０とを含む。スケジュール画面１４００は、ユーザ端末１００に表示される。
【０１３１】
スケジュール画面１４００は、月別カレンダー表示領域１４１０において、お気に入り動画７００の再生をするスケジュールをカレンダー／日別に一覧表示する。
【０１３２】
また、スケジュール画面１４００は、隙間時間でユーザに見てほしい動画を分単位で表示したり、隙間時間に収まるものを選択して再生したりしてもよいものとする。
【０１３３】
具体的には、まず、管理サーバ１２０のスケジュール画面生成部１７０は、スケジュール画面１４００を提供したいユーザＩＤに対応するユーザ情報２００をユーザ情報記憶部１３０から抽出する（図１５にて後述）。
【０１３４】
次に、スケジュール画面生成部１７０は、抽出したユーザ情報２００に含まれるスケジュール情報２２０をスケジュール情報記憶部１３２から抽出し、抽出したスケジュール情報２２０に含まれる再生スケジュールに基づいて、スケジュール画面１４００を生成する。
【０１３５】
この際、再生スケジュールにはユーザごとに個別の隙間時間が発生している。よって、スケジュール画面生成部１７０は、ユーザの再生スケジュールを抽出し、そのユーザの隙間時間を分単位で把握できる。その後、スケジュール画面生成部１７０は、お気に入り動画７００のうちでその隙間時間内に収まる再生時間のものを選択し、スケジュール画面１４００を生成する。
【０１３６】
なお、この場合、スケジュール画面生成部１７０は、図９にて既述した算出方法に従わないで再生スケジュールを生成しても良いものとする。
【０１３７】
スケジュール画面１４００は、再生回数を表示できる。
【０１３８】
既述の通り、スケジュール画面生成部１７０は、抽出したユーザ情報２００に含まれるスケジュール情報２２０をスケジュール情報記憶部１３２から抽出し、抽出したスケジュール情報２２０に含まれる再生スケジュールに基づいて、スケジュール画面１４００を生成する。
【０１３９】
再生スケジュールにはユーザごとに個別の再生履歴が含まれる。よって、スケジュール画面生成部１７０は、ユーザの再生スケジュールを抽出し、そのユーザの再生履歴すなわち再生回数を把握できる。よって、スケジュール画面生成部１７０は、スケジュール画面１４００において再生回数を表示できる。
【０１４０】
また、スケジュール画面１４００は、内容が関連するもの（同一カテゴリのもの）が連続して再生されるように表示してもよいものとする。
【０１４１】
既述の通り、スケジュール画面生成部１７０は、抽出したユーザ情報２００に含まれるスケジュール情報２２０をスケジュール情報記憶部１３２から抽出し、抽出したスケジュール情報２２０に含まれる再生スケジュールに基づいて、スケジュール画面１４００を生成する。
【０１４２】
スケジュール情報２２０にはユーザごとにいくつかのお気に入り動画７００が含まれている。よって、スケジュール画面生成部１７０は、ユーザのスケジュール情報２２０を抽出し、そのユーザのお気に入り動画７００の中からお気に入り動画７００の属するカテゴリを把握できる。よって、スケジュール画面生成部１７０は、スケジュール画面１４００において内容が関連するもの（同一カテゴリのもの）が連続して再生されるように表示できる。
【０１４３】
その他、スケジュール画面１４００は、累積の再生回数が少ないもの（お気に入り登録された日が近いもの）を優先して再生されるように表示してもよいものとする。なお、この場合も、スケジュール画面生成部１７０は、図９にて既述した算出方法に従わないで再生スケジュールを生成しても良いものとする。
【０１４４】
このようにして、ユーザは、ユーザ端末１００に表示されたスケジュール画面１４００に含まれる月別カレンダー表示領域１４１０のうち、再生予定動画表示領域１４２０の中の確認したい日にちの表示を見ながら、いつでも容易に予定の確認を行うことができる。
【０１４５】
また、ユーザは、隙間時間の有効利用や、お気に入り動画７００と関連する内容の動画の視聴ができ、学習効率を一層高めるスケジュール管理が可能となる。
＜当日スケジュール画面＞
図１４（ｂ）に示されるように、当日スケジュール画面１４３０は、当日再生予定動画表示領域１４４０を含む。当日スケジュール画面１４３０は、ユーザ端末１００に表示される。
【０１４６】
このようにして、ユーザは、ユーザ端末１００に表示された当日スケジュール画面１４３０に含まれる当日再生予定動画表示領域１４４０の表示を見ながら、いつでも容易に当日の再生予定動画の確認を行うことができる。
＜スケジュール画面生成処理＞
図１５は、本発明の一実施の形態におけるスケジュール画面生成処理およびスケジュール画面提供処理の概要を示す図である。
【０１４７】
図１５で示されるように、まず、Ｓ１５０１にて、管理サーバ１２０は、スケジュール画面１４００を提供したいユーザＩＤに対応するユーザ情報２００をユーザ情報記憶部１３０から抽出する。
【０１４８】
次に、Ｓ１５０２にて、管理サーバ１２０は、Ｓ１５０１で抽出したユーザ情報２００に含まれるスケジュール情報２２０をスケジュール情報記憶部１３２から抽出する。
【０１４９】
次に、Ｓ１５０３にて、管理サーバ１２０のスケジュール画面生成部１７０は、Ｓ１５０２で抽出したスケジュール情報２２０に含まれる再生スケジュールに基づいて、スケジュール画面１４００を生成する。
＜スケジュール画面提供処理＞
次に、Ｓ１５０４にて、管理サーバ１２０は、Ｓ１５０３で抽出したスケジュール画面１４００をユーザ端末１００に送信する。
【０１５０】
次に、Ｓ１５０５にて、ユーザ端末１００は、Ｓ１５０４で管理サーバ１２０から送信されたスケジュール画面１４００を受信する。その後、受信したスケジュール画面１４００をディスプレイ上で表示させる。
【０１５１】
このようにして、管理サーバ１２０は、月別の再生スケジュールをユーザに可視化させ学習を容易に管理できるよう支援することができる。
＜スケジュール通知処理＞
図１６は、本発明の一実施の形態におけるスケジュール通知処理の概要を示す図である。
【０１５２】
図１６で示されるように、まず、Ｓ１６０１にて、設定時刻（例えば６時など）を経過した時に、管理サーバ１２０は、当日スケジュール画面１４３０を提供したいユーザＩＤに対応するユーザ情報２００をユーザ情報記憶部１３０から抽出する。なお、設定時刻はユーザによって予め設定することができるものとする。
【０１５３】
次に、Ｓ１６０２にて、管理サーバ１２０は、Ｓ１６０１で抽出したユーザ情報２００に含まれるスケジュール情報２２０をスケジュール情報記憶部１３２から抽出する。
【０１５４】
次に、Ｓ１６０３にて、管理サーバ１２０のスケジュール画面生成部１７０は、Ｓ１６０２で抽出したスケジュール情報２２０に含まれる再生スケジュールに基づいて、当日スケジュール画面１４３０を生成する。
【０１５５】
次に、Ｓ１６０４にて、管理サーバ１２０は、Ｓ１６０３で抽出した当日スケジュール画面１４３０をユーザ端末１００に送信する。
【０１５６】
次に、Ｓ１６０５にて、ユーザ端末１００は、Ｓ１６０４で管理サーバ１２０から送信された当日スケジュール画面１４３０を受信する。その後、受信した当日スケジュール画面１４３０をディスプレイ上で表示させる。なお、ユーザ端末１００は、当日スケジュール画面についてスマートフォンにおけるプッシュ通知としても良いし、メールにて通知させても良いものとする。
【０１５７】
このようにして、管理サーバ１２０は、当日の再生スケジュールをユーザに毎日可視化させ、毎日の学習を容易に管理できるよう支援することができる。
＜電子書籍生成処理＞
図１７は、本発明の一実施の形態における電子書籍生成処理および電子書籍提供処理の概要を示す図である。
【０１５８】
図１７で示されるように、まず、Ｓ１７０１にて、設定時刻（例えば２３時など）を経過した時に、管理サーバ１２０は、電子書籍を提供したいユーザＩＤに対応するユーザ情報２００をユーザ情報記憶部１３０から抽出する。なお、設定時刻はユーザによって予め設定することができるものとする。
【０１５９】
次に、Ｓ１７０２にて、管理サーバ１２０は、Ｓ１７０１で抽出したユーザ情報２００に含まれるお気に入り動画情報２１０をお気に入り動画情報記憶部１３１から抽出する。
【０１６０】
次に、Ｓ１７０３にて、管理サーバ１２０の電子書籍生成部１８０は、Ｓ１７０２で抽出したお気に入り動画情報２１０に含まれる文字データと音声データに基づいて、電子書籍を生成する。
【０１６１】
次に、Ｓ１７０４にて、管理サーバ１２０は、Ｓ１７０３で生成した電子書籍をユーザ端末１００に送信する。
【０１６２】
次に、Ｓ１７０５にて、ユーザ端末１００は、Ｓ１７０４で管理サーバ１２０から送信された電子書籍を受信する。その後、受信した電子書籍をディスプレイ上で表示させる。
【０１６３】
このようにして、管理サーバ１２０は、お気に入り動画に対応する部分のテスト、音声、電子書籍の自動化等により、学習の効率的な習得をユーザにさせることが可能となる。
＜グループ生成方法＞
図１８は、本発明の一実施の形態におけるグループ生成方法の概要を示す図である。
【０１６４】
例えば、図１８に示されるように、ユーザ端末１００として、甲、乙、丙の３人について、甲のお気に入り動画７００のリスト１８１０と、乙のお気に入り動画７００のリスト１８２０と、丙のお気に入り動画７００のリスト１８３０とを考える。
【０１６５】
この場合、甲のお気に入り動画７００のリスト１８１０に含まれるお気に入り動画７００（の動画１）のタグ「レストラン」、「注文」と、乙のお気に入り動画７００のリスト１８２０に含まれるお気に入り動画７００（の動画２）のタグ「レストラン」、「注文」とが共通する。
【０１６６】
よって、甲と乙は、同一のタグ「レストラン」、「注文」を共有している関係であるため、図１８に示されるように、グループ生成部は甲と乙を構成員としてグループAを生成する。
【０１６７】
また、甲のお気に入り動画７００のリスト１８１０に含まれるお気に入り動画７００（の動画１）のタグ「英語」と、丙のお気に入り動画７００のリスト１８３０に含まれるお気に入り動画７００（の動画１）のタグ「英語」とが共通する。
【０１６８】
よって、甲と丙は、同一のタグ「英語」を共有している関係であるため、図１８に示されるように、グループ生成部は甲と丙を構成員としてグループBを生成する。
【０１６９】
このように、グループ生成部１９０は、あるユーザ端末１００が登録しているお気に入り動画７００に含まれるお気に入り動画７００のタグと、他のユーザ端末１００が登録しているお気に入り動画７００に含まれるお気に入り動画７００のタグとが共通する場合にそのタグを共有するすべてのユーザ端末１００を構成員としてグループを生成する。
＜グループ生成処理＞
図１９は、本発明の一実施の形態におけるグループ生成処理の概要を示す図である。
【０１７０】
まず、Ｓ１９０１にて、管理サーバ１２０は、ユーザ端末１００にお気に入り動画７００を提供後、提供したお気に入り動画７００に含まれるタグと対応するすべてのユーザをユーザ情報記憶部１３０から抽出する。
【０１７１】
なお、このタグとしては、段落［００３５］で既述したもののほかに、社名、社長、従業員、右腕などの属性情報、業種情報などがある。
【０１７２】
次に、Ｓ１９０２にて、管理サーバ１２０は、あるユーザ端末１００に提供したお気に入り動画７００に含まれるタグと他のユーザ端末１００についてのタグとが共通するか否かを判定する。
【０１７３】
管理サーバ１２０があるユーザ端末１００に提供したお気に入り動画７００に含まれるタグと他のユーザ端末１００についてのタグとが共通すると判定した場合に、Ｓ１９０３にて、管理サーバ１２０のグループ生成部１９０は、共通するタグを有するすべてのユーザ端末１００を構成員としてグループを生成する。
【０１７４】
また、グループ生成部１９０は、社名のタグを参照して、社長と、当該会社の従業員とを構成員としてグループを生成しても良い。
【０１７５】
また、グループ生成部１９０は、同じ業種のユーザ同士を構成員としてグループを生成しても良い。なお、グループ生成部１９０は、同じ業種が２名以上同じグループに含まれないように、他業種同士でグループを生成しても良い。
【０１７６】
この際、グループ生成部１９０は、グループの人数が、例えば５名と決められており、その人数を越えないようにグループを生成する。
【０１７７】
すなわち、グループ生成部１９０は、現在動画を再生している人数を算出し、その人数をグループの最大人数で均等にわけて複数のグループを生成する（例えば１５名が視聴している場合、５名のグループを３つ生成する）。
【０１７８】
また、オンライン上でリアルタイムでのグループワークを行う場合は、それぞれのグループの活動の様子等を録画できる。このようにすることで、管理サーバ１２０は、ユーザ端末１００どうしでグループをまたいでのシェアを可能にする。
【０１７９】
管理サーバ１２０があるユーザ端末１００に提供したお気に入り動画７００に含まれるタグと他のユーザ端末１００についてのタグとが共通すると判定しない場合、管理サーバ１２０は本工程を終了する。
＜シェア画面＞
図２０は、本発明の一実施の形態におけるシェア画面２０００の概要を示す図である。
【０１８０】
図２０に示されるように、シェア画面２０００は、お気に入り動画７００と、タイトル表示領域７３０と、グループ名表示領域２０１０と、構成員表示領域２０２０と、講師役表示アイコン２０３０と、シェアリスト表示領域２０４０とを有する。
【０１８１】
グループ名表示領域２０１０は、グループ生成部１９０が生成したグループについてのグループ名を表示させる。なお、グループ名は、グループ生成部が自動的に決定するか、そのグループの構成員のうち任意の構成員（ユーザ）によって決定されても良い。
【０１８２】
構成員表示領域２０２０は、グループ生成部１９０が生成したグループについての構成員の上半身を映す動画または静止画を表示させる。
【０１８３】
講師役表示アイコン２０３０は、グループ生成部１９０が生成したグループについての構成員のうち、選定された講師役（選定処理については後述する）がどの構成員であるかを表示させる。
【０１８４】
シェアリスト表示領域２０４０は、グループ生成部１９０が生成したグループについての共有されるタグに対応するお気に入り動画７００や、それに関連するテスト問題や資料（表やグラフ等）のデータについてのリストを表示させる。
＜シェア画面生成処理＞
図２１は、本発明の一実施の形態におけるシェア画面生成処理およびシェア画面提供処理の概要を示す図である。
【０１８５】
まず、Ｓ２１０１にて、管理サーバ１２０は、ユーザ端末１００にお気に入り動画７００を提供し、グループ生成部１９０がグループを生成後、生成したグループに含まれるすべてのユーザのユーザ情報２００をユーザ情報記憶部１３０から抽出する。
【０１８６】
次に、Ｓ２１０２にて、管理サーバ１２０のシェア画面生成部１９１は、S２１０１で抽出したすべてのユーザのユーザ情報２００に基づいてシェア画面２０００を生成する。
＜シェア画面提供処理＞
次に、Ｓ２１０３にて、管理サーバ１２０のシェア画面提供部１９２は、S２１０２で生成されたシェア画面２０００をユーザ端末１００に送信する。
【０１８７】
次に、Ｓ２１０４にて、ユーザ端末１００は、S２１０３で送信されたシェア画面２０００を受信してディスプレイ上で表示させる。
【０１８８】
このようにシェア画面を生成および提供することで、管理サーバ１２０は、グループ内で共通の課題や学習事項についてミーティングさせることを可能にし、グループ内のユーザ同士で情報の共有を行える仕組みを実現できる。
＜講師役選定処理＞
図２２は、本発明の一実施の形態における講師役選定処理の概要を示す図である。
【０１８９】
まず、S２２０１にて、管理サーバ１２０は、ユーザ端末１００にお気に入り動画７００を提供し、グループ生成部１９０がグループを生成後、生成したグループに含まれるすべてのユーザのユーザ情報２００をユーザ情報記憶部１３０から抽出する。
【０１９０】
次に、S２２０２にて、管理サーバ１２０のシェア画面生成部１９１は、S２２０１で抽出したすべてのユーザのユーザ情報２００に基づいて講師役を選定する。
【０１９１】
次に、S２２０３にて、管理サーバ１２０のシェア画面提供部１９２は、S２２０２で選定された講師役について講師役表示アイコン２０３０を表示させたシェア画面２０００を生成する。
【０１９２】
次に、Ｓ２２０４にて、管理サーバ１２０のシェア画面提供部１９２は、S２２０３で生成されたシェア画面２０００をユーザ端末１００に送信する。
【０１９３】
次に、S２２０５にて、ユーザ端末１００は、S２２０４で送信されたシェア画面２０００を受信してディスプレイ上で表示させる。
【０１９４】
このように講師役を選定させることで、管理サーバ１２０は、グループ内で講師を中心としてミーティングさせることを可能にし、グループ内のユーザ同士が教え合う仕組みを実現できる。
＜本実施の形態の効果＞
【０１９５】
以上説明した本発明の実施の形態によれば、「フォローアップ（学習→実践→評価）に特化し、フォローアップとともに、教え合う場を提供し、学んだことの定着を図る」ことが可能となる。
【０１９６】
また、本発明の実施の形態によれば、管理サーバ１２０は、お気に入り動画を「エビングハウスの忘却曲線」に基づくタイミングや、ユーザが行ったテストの結果に応じて、ユーザ端末に提供できるため、効率的に学習の定着を図ることが可能となる。
【０１９７】
また、本発明の実施の形態によれば、再生スケジュールを可視化し学習を容易に管理できるよう支援することや、お気に入り動画に対応する部分のテスト、音声、電子書籍の自動化等により、学習の効率的な習得が可能となる。
【０１９８】
また、本発明の実施の形態によれば、管理サーバ１２０は、ユーザに話し合う場（グループワークの場）を提供可能にし、より知識の定着を図ることができる。
【０１９９】
以上、本発明者によってなされた発明を実施の形態に基づき具体的に説明したが、本発明は前記実施の形態に限定されるものではなく、その要旨を逸脱しない範囲で種々変更可能であることはいうまでもない。たとえば、顧客端末は、スマートフォン以外にも、ノート型ＰＣや、タブレット端末等の様々な形態の顧客端末を全て含むものである。
【０２００】
また、上記した実施の形態は本発明を分かりやすく説明するために詳細に説明したものであり、必ずしも説明した全ての構成を備えるものに限定されるものではない。また、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加、削除、置換しても良い。
【０２０１】
また、上記の各構成、機能、処理部は、それらの一部又は全部を、ハードウェア（例えば、集積回路）で実現してもよい。また、上記の各構成、機能、処理部は、プロセッサがそれぞれの機能を実現するプログラムを解釈し、実行するネットワーク経由もしくはディスク等記憶媒体によるインストール型のソフトウェア、また、ＡＳＰなどのネットワーク型アプリケーションで実現してもよい。各機能を実現するプログラム、テーブル、ファイル等の情報は、メモリや、ハードディスク、ＳＳＤ（ＳｏｌｉｄＳｔａｔｅＤｒｉｖｅ）等の記録装置、または、ＩＣカード、ＳＤカード、ＤＶＤ等の記録媒体に置くことができる。
【符号の説明】
【０２０２】
１００…ユーザ端末
１１０…インターネット
１２０…管理サーバ
１３０…ユーザ情報記憶部
１３１…お気に入り動画情報記憶部
１３２…スケジュール情報記憶部
１３３…テスト情報記憶部
１４０…お気に入り動画生成部
１４１…お気に入り動画提供部
１５０…再生スケジュール生成部
１６０…テスト画面生成部
１６１…テスト画面提供部
１７０…スケジュール画面生成部
１７１…スケジュール画面提供部
１８０…電子書籍生成部
１８１…電子書籍提供部
６１０…お気に入り動画生成用画面
７００…お気に入り動画
１２００…テスト画面
１４００…スケジュール画面
２０００…シェア画面
【要約】      （修正有）【課題】お気に入り動画を生成して所定の日数後にお気に入り動画の提供およびテストによって学習の定着を図る動画提供システムを提供する。【解決手段】ユーザ端末１００とネットワークを介して接続される管理サーバであって、ユーザ情報記憶部１３０に記憶されているユーザ情報と、ユーザ端末１００から受信したお気に入り動画生成用データとに基づいて、お気に入り動画を生成するお気に入り動画生成部１４０と、スケジュール情報記憶部１３２に記憶されているスケジュール情報と、テスト情報記憶部１３３に記憶されているテスト情報とに基づいて、再生スケジュールを生成する再生スケジュール生成部１５０と、現在時刻が前記再生スケジュールに含まれる時刻と一致するか否かを判定し、一致する場合に、対応する前記お気に入り動画をお気に入り動画情報記憶部１３１から抽出し、ユーザ端末１００にお気に入り動画を提供する。【選択図】図１【図１】
0006684508.tif 000002
【図２】
0006684508.tif 000003
【図３】
0006684508.tif 000004
【図４】
0006684508.tif 000005
【図５】
0006684508.tif 000006
【図６】
0006684508.tif 000007
【図７】
0006684508.tif 000008
【図８】
0006684508.tif 000009
【図９】
0006684508.tif 000010
【図１０】
0006684508.tif 000011
【図１１】
0006684508.tif 000012
【図１２】
0006684508.tif 000013
【図１３】
0006684508.tif 000014
【図１４】
0006684508.tif 000015
【図１５】
0006684508.tif 000016
【図１６】
0006684508.tif 000017
【図１７】
0006684508.tif 000018
【図１８】
0006684508.tif 000019
【図１９】
0006684508.tif 000020
【図２０】
0006684508.tif 000021
【図２１】
0006684508.tif 000022
【図２２】
0006684508.tif 000023